(57)【要約】【課題】管理装置がログイン情報に基づいて読取装置及び車載端末の対応付けを行い、読取装置で読み取った識別情報に基づく管理情報を対応する車載端末に送信することにより、車載端末の構成の簡素化を図る。【解決手段】物品又は前記物品を格納する棚に付与された識別情報を読み取る読取装置、及び物品を搬送する搬送車に搭載された車載端末と接続する管理装置が、前記読取装置から前記識別情報を受信し、前記識別情報によって識別される管理情報を求め、前記読取装置及び前記車載端末からログイン情報を受信し、前記ログイン情報に基づいて前記車載端末と前記読取装置とを対応付け、前記読取装置から受信した前記識別情報によって求めた前記管理情報を当該読取装置と対応する前記車載端末に送信する。【選択図】図１
2013144605.tif 000002
【特許請求の範囲】
【請求項１】
物品又は前記物品を格納する棚に付与された識別情報を読み取る読取装置と、物品を搬送する搬送車に搭載された車載端末と、前記車載端末及び前記読取装置と接続する管理装置とを備えた在庫管理システムであって、
前記読取装置が、
前記識別情報を読み取る読み取り部と、
前記読み取り部で読み取った識別情報を前記管理装置に送信する送信部と、
ログイン情報を前記管理装置に送信するログイン要求部と、
を備え、
前記車載端末が、
前記管理装置から管理情報を受信する受信部と、
前記管理情報を表示装置に表示させる表示制御部と、
ログイン情報を前記管理装置に送信するログイン要求部と、
を備え、
前記管理装置が、
前記読取装置から前記識別情報を受信する受信部と、
前記識別情報によって識別される管理情報を求める管理情報生成部と、
前記読取装置及び前記車載端末からログイン情報を受信するログイン処理部と、
前記ログイン情報に基づいて前記車載端末と前記読取装置とを対応付けるリレーション部と、
前記読取装置から受信した前記識別情報によって求めた前記管理情報を当該読取装置と対応する前記車載端末に送信する送信部と、
を備える在庫管理システム。
【請求項２】
物品又は前記物品を格納する棚に付与された識別情報を読み取る読取装置、及び物品を搬送する搬送車に搭載された車載端末と接続する管理装置であって、
前記読取装置から前記識別情報を受信する受信部と、
前記識別情報によって識別される管理情報を求める管理情報生成部と、
前記読取装置及び前記車載端末からログイン情報を受信するログイン処理部と、
前記ログイン情報に基づいて前記車載端末と前記読取装置とを対応付けるリレーション部と、
前記読取装置から受信した前記識別情報によって求めた前記管理情報を当該読取装置と対応する前記車載端末に送信する送信部と、
を備える管理装置。
【請求項３】
物品又は前記物品を格納する棚に付与された識別情報を読み取る読取装置、及び物品を搬送する搬送車に搭載された車載端末と接続する管理装置が、
前記読取装置から前記識別情報を受信するステップと、
前記識別情報によって識別される管理情報を求めるステップと、
前記読取装置及び前記車載端末からログイン情報を受信するステップと、
前記ログイン情報に基づいて前記車載端末と前記読取装置とを対応付けるステップと、
前記読取装置から受信した前記識別情報によって求めた前記管理情報を当該読取装置と対応する前記車載端末に送信するステップと、
を実行する在庫管理方法。
【発明の詳細な説明】
【技術分野】
【０００１】
本発明は、在庫の情報を管理する技術に関する。
【背景技術】
【０００２】
倉庫に保管される物品の入出庫を管理する手法は、従来、種々のものが知られている。例えば、管理台帳と棚カードを用い、在庫情報を台帳に日付情報と共に記入し、各棚に商品の種類、個数を記入した棚カードを格納棚等に取付けておき、入出庫の際に棚カードに記録するという手法がある。この手法では、商品の入出庫の都度棚カードに手書きしなければならず、非常に手間がかかる、また書き間違いにより台帳上の在庫と実際の在庫との誤差が生じ、正確な在庫管理が難しいという欠点がある。
【０００３】
このため、物品を搬送するフォークリフトにコンピュータを搭載し、当該コンピュータ（以下車載端末とも称す）がホストコンピュータからの入出庫の指示を受信して表示装置に表示させ、フォークリフトのユーザが当該入出庫の指示に従ってフォークリフトを操作して物品の入出庫を行う手法も提案されている。この場合、車載端末に接続されたハンディターミナルで、入出庫する物品や、物品を格納する棚に貼付されたバーコード等の識別情報を読み取って記録することで、物品を格納した棚や出庫した物品の情報を正確に記録する。
【先行技術文献】
【特許文献】
【０００４】
【特許文献１】特開平７−６１５４０号公報
【特許文献２】特開２００５−２０６２６８号公報
【発明の概要】
【発明が解決しようとする課題】
【０００５】
上述のようにハンディターミナルでバーコードを読み取る場合に、ハンディターミナルと車載端末とが有線で接続されていると、ハンディターミナルを持ったユーザの移動範囲が制限されてしまう。このため、ハンディターミナルと車載端末とを無線で接続することも考えられる。
【０００６】
しかし、ハンディターミナルと車載端末とを無線で接続する構成とした場合、車載端末は、ホストコンピュータとの通信装置と別にハンディターミナルとの通信装置を備えなければならず、車載端末の構成が複雑化するといった問題点があった。
【０００７】
そこで、本発明は、管理装置がログイン情報に基づいて読取装置及び車載端末の対応付けを行い、読取装置で読み取った識別情報に基づく管理情報を対応する車載端末に送信することによって、車載端末の構成の簡素化を図りつつ、読取装置と車載端末との連携を可能とする。
【課題を解決するための手段】
【０００８】
上記課題を解決するため、本発明の在庫管理システムは、
物品又は前記物品を格納する棚に付与された識別情報を読み取る読取装置と、物品を搬送する搬送車に搭載された車載端末と、前記車載端末及び前記読取装置と接続する管理装置とを備えた在庫管理システムであって、
前記読取装置が、
前記識別情報を読み取る読み取り部と、
前記読み取り部で読み取った識別情報を前記管理装置に送信する送信部と、
ログイン情報を前記管理装置に送信するログイン要求部と、
を備え、
前記車載端末が、
前記管理装置から管理情報を受信する受信部と、
前記管理情報を表示装置に表示させる表示制御部と、
ログイン情報を前記管理装置に送信するログイン要求部と、
を備え、
前記管理装置が、
前記読取装置から前記識別情報を受信する受信部と、
前記識別情報によって識別される管理情報を求める管理情報生成部と、
前記読取装置及び前記車載端末からログイン情報を受信するログイン処理部と、
前記ログイン情報に基づいて前記車載端末と前記読取装置とを対応付けるリレーション部と、
前記読取装置から受信した前記識別情報によって求めた前記管理情報を当該読取装置と対応する前記車載端末に送信する送信部と、を備える。
【０００９】
また、上記課題を解決するため、本発明の在庫管理方法は、
物品又は前記物品を格納する棚に付与された識別情報を読み取る読取装置、及び物品を搬送する搬送車に搭載された車載端末と接続する管理装置が、
前記読取装置から前記識別情報を受信するステップと、
前記識別情報によって識別される管理情報を求めるステップと、
前記読取装置及び前記車載端末からログイン情報を受信するステップと、
前記ログイン情報に基づいて前記車載端末と前記読取装置とを対応付けるステップと、
前記読取装置から受信した前記識別情報によって求めた前記管理情報を当該読取装置と対応する前記車載端末に送信するステップと、を実行する。
【００１０】
また、本発明は、上記在庫管理方法をコンピュータに実行させる在庫管理プログラムであっても良い。更に、本発明は、この在庫管理プログラムをコンピュータが読み取り可能な記録媒体に記録したものであっても良い。コンピュータに、この記録媒体のプログラムを読み込ませて実行させることにより、その機能を提供させることができる。
【００１１】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００１２】
また、コンピュータに固定された記録媒体としてハードディスクやＲＯＭ（リードオンリーメモリ）等がある。
【発明の効果】
【００１３】
本発明は、管理装置がログイン情報に基づいて読取装置及び車載端末の対応付けを行い、読取装置で読み取った識別情報に基づく管理情報を対応する車載端末に送信することによって、車載端末の構成の簡素化を図りつつ、読取装置と車載端末との連携を可能にすることができる。
【図面の簡単な説明】
【００１４】
【図１】図１は、本実施形態に係る在庫管理システムの概略構成図である。
【図２】図２は、管理装置１の概略構成図である。
【図３】図３は、車載端末２の概略構成図である。
【図４】図４は、携帯端末３の概略構成図である。
【図５】図５は、入庫した物品の情報、即ち在庫情報のデータ構成を示す図である。
【図６】図６は、棚番マスタのデータ構成を示す図である。
【図７】図７は、品名マスタのデータ構成を示す図である。
【図８】図８は、ユーザマスタのデータ構成を示す図である。
【図９】図９は、在庫管理方法のログイン処理のシーケンスを示す図である。
【図１０】図１０は、車載端末において、ログイン情報を入力する際の入力画面の表示例を示す図である。
【図１１】図１１は、携帯端末において、ログイン情報を入力する際の入力画面の表示例を示す図である。
【図１２】図１２は、在庫管理方法の入庫処理のシーケンスを示す図である。
【図１３】図１３は、識別ラベルの一例を示す図である。
【図１４】図１４は、棚番ラベルの一例を示す図である。
【図１５】図１５は、登録結果の表示例を示す図である。
【図１６】図１６は、在庫管理方法の出庫処理のシーケンスを示す図である。
【発明を実施するための形態】
【００１５】
以下、図面を参照して本発明を実施するための形態について説明する。以下の実施の形態の構成は例示であり、本発明は実施の形態の構成に限定されない。
【００１６】
〈システム構成〉
図１は、本実施形態に係る在庫管理システムの概略構成図である。図１に示すように、在庫管理システム１０は、管理装置１、車載端末２、携帯端末３、無線アクセスポイント４を備える。このうち少なくとも車載端末２、携帯端末３、無線アクセスポイント４は、倉庫に配置される。なお、図１では、便宜上、車載端末２、携帯端末３、無線アクセスポイント４をそれぞれ１つのみ示したが、在庫管理システム１０は、車載端末２、携帯端末３、無線アクセスポイント４を複数有しても良い。また、複数の倉庫が存在し、それぞれの倉庫に複数の車載端末２、携帯端末３、及び無線アクセスポイント４を備えても良い。
【００１７】
車載端末２及び携帯端末３は、例えばＩＥＥＥ８０２．１１といった規格に従い無線アクセスポイント４との間で無線通信を行い、無線アクセスポイント４を介してネットワークと接続する。更に、このネットワークＮを介して車載端末２及び携帯端末３は、管理装置１と接続する。
【００１８】
携帯端末３は、物品４１に付与された識別ラベル４３Ａや、物品４１を格納する棚４２に付与された識別ラベル（棚番ラベル）４３Ｂの識別情報を読み取り、管理装置１に送信する。
【００１９】
車載端末２は、物品４１を搬送するフォークリフト等の搬送車４４に搭載される。車載端末２は、管理装置１から受信した管理情報を表示装置に表示させることにより、管理情報をユーザに提示する。
【００２０】
ネットワークＮは、倉庫が存在する事業所内に敷設されたＬＡＮ(Local Area Network)であっても良いし、インターネット等の公衆網であっても良い。即ち、管理装置１は、倉庫と同一の事業所内の事務室等に設けられ、ＬＡＮを介して車載端末２や携帯端末３と接続するものでも良いし、倉庫と異なる場所の本社等に設けられ、公衆網を介して車載端末２や携帯端末３と接続するものでも良い。また、データベースを倉庫と異なる場所の本社等に設けたコンピュータに記憶させ、在庫管理プログラムに従う機能を倉庫と同一の事業所内に設けたコンピュータで提供するように、複数のコンピュータで管理装置１を構成し
ても良い。
【００２１】
図２は、管理装置１の概略構成図である。図２に示すように、管理装置１は、本体内にＣＰＵ（central processing unit）やメインメモリ等よりなる演算処理部１２、演算処
理の為のデータやソフトウェアを記憶した記憶部１３、入出力ポート１４、通信制御部（ＣＣＵ：Communication Control Unit）１５等を備えたコンピュータである。
【００２２】
該入出力ポート１４には、キーボードやマウス、ＣＤ−ＲＯＭドライブ、メモリカードリーダといった入力デバイス、そして表示装置やプリンタ等の出力デバイスが適宜接続される。
【００２３】
ＣＣＵ１５は、ネットワークを介して他のコンピュータと通信を行うものである。
【００２４】
記憶部１３は、ハードディスクや半導体メモリ等を有する補助記憶装置であり、オペレーティングシステム（ＯＳ）やアプリケーションソフト（在庫管理プログラム等）がインストールされている。また、記憶部１３は、在庫管理データベースを格納する。
【００２５】
演算処理部１２は、ＣＰＵやメモリ等からなり、前記ＯＳやアプリケーションプログラムを記憶部１３から適宜読み出して実行し、入出力ポート１４やＣＣＵ１５から入力された情報、及び記憶部１３から読み出した情報を演算処理することにより、入力情報受信部１２１や、管理情報生成部１２２、ログイン処理部１２３、リレーション部１２４、管理情報送信部１２５としても機能する。
【００２６】
入力情報受信部１２１としては、ユーザが携帯端末３に入力し携帯端末３から送信された情報を受信し、記憶部１３の在庫管理データベースに記憶する。ここで、携帯端末３から受信する情報は、物品４１又は棚４２の識別ラベル４３Ａ，４３Ｂから読み取った識別情報の他、入庫する物品のロットや入荷日、数量等、物品に係る情報である。
【００２７】
管理情報生成部１２２としては、識別情報によって識別される管理情報を記憶部１３に格納された在庫管理データベースから求める。
【００２８】
ログイン処理部１２３としては、携帯端末及び前記車載端末からログイン情報を受信し、在庫管理データベースのユーザマスタに登録済の情報と比較してログインの処理を行う。
【００２９】
リレーション部１２４は、前記ログイン情報に基づいて車載端末２と携帯端末３とを対応付ける。
【００３０】
管理情報送信部１２５としては、携帯端末３から受信した識別情報によって求めた管理情報を当該携帯端末３と対応する車載端末２に送信する。
【００３１】
図３は、車載端末２の概略構成図である。図３に示すように、車載端末２は、本体内にＣＰＵ（central processing unit）やメインメモリ等よりなる演算処理部２２、演算処
理の為のデータやソフトウェアを記憶した記憶部（ハードディスク）２３、入出力ポート２４、通信制御部（ＣＣＵ：Communication Control Unit）２５等を備えたコンピュータである。
【００３２】
該入出力ポート２４には、タッチパネルやメモリカードリーダといった入力デバイス、そして表示装置やスピーカ等の出力デバイスが適宜接続される。
ＣＣＵ２５は、ネットワークを介して他のコンピュータと通信を行うものである。
【００３３】
記憶部２３には、オペレーティングシステム（ＯＳ）やアプリケーションソフト（在庫管理プログラム等）がインストールされている。
【００３４】
演算処理部２２は、ＣＰＵやメモリ等からなり、前記ＯＳやアプリケーションプログラムを記憶部２３から適宜読み出して実行し、入出力ポート２４やＣＣＵ２５から入力された情報、及び記憶部２３から読み出した情報を演算処理することにより、管理情報受信部２２１や、表示制御部２２２、ログイン要求部２２３としても機能する。
【００３５】
管理情報受信部２２１としては、管理装置１から入庫予定や出庫指示、棚卸し指示、在庫状況、警告等の管理情報を受信する。
【００３６】
表示制御部２２２としては、管理装置１から受信した管理情報を表示装置に表示させる。
【００３７】
ログイン要求部２２３としては、ユーザによって入力された当該ユーザのログイン情報を管理装置１に送信してログインを要求する。
【００３８】
図４は、携帯端末３の概略構成図である。図４に示すように、携帯端末３は、本体内にＣＰＵ（central processing unit）やメインメモリ等よりなる演算処理部３２、演算処
理の為のデータやソフトウェアを記憶した記憶部（ハードディスク）３３、入出力ポート３４、通信制御部（ＣＣＵ：Communication Control Unit）３５等を備えたコンピュータである。なお、携帯端末３は、識別情報を読み取る読み取り部３６を有した読取装置の一例である。
【００３９】
該入出力ポート３４には、操作ボタンや、識別情報の読み取り部３６、メモリカードリーダといった入力デバイス、そして表示装置やプリンタ３７等の出力デバイスが適宜接続される。本実施形態の読み取り部３６は、識別情報としてのバーコードを読み取る所謂バーコードリーダである。これに限らず、識別情報がＲＦＩＤタグやＩＣタグによって供される場合、ＲＦＩＤリーダや、ＩＣタグリーダであっても良い。また、プリンタ３７は、携帯端末３に内蔵された構成であっても、有線又は無線で接続された別体の構成であっても良い。なお、識別情報がＲＦＩＤタグやＩＣタグによって供される場合、これらＲＦＩＤやＩＣタグの書き込み装置を備え、ＲＦＩＤタグやＩＣタグよりなる識別ラベル４３Ａ，４３Ｂに識別情報を書き込む構成としても良い。
【００４０】
ＣＣＵ３５は、ネットワークを介して他のコンピュータと通信を行うものである。
【００４１】
記憶部３３は、ハードディスクや半導体メモリ等を有する補助記憶装置であり、オペレーティングシステム（ＯＳ）やアプリケーションソフト（在庫管理プログラム等）がインストールされている。
【００４２】
演算処理部３２は、ＣＰＵやメモリ等からなり、前記ＯＳやアプリケーションプログラムを記憶部３３から適宜読み出して実行し、入出力ポート３４やＣＣＵ３５から入力された情報、及び記憶部３３から読み出した情報を演算処理することにより、入力情報送信部３２１や、ログイン要求部３２２としても機能する。
【００４３】
入力情報送信部３２１としては、読み取り部３６で読み取った識別情報や、ユーザが操作ボタン等を操作して入力した情報を入力情報として管理装置１に送信する。
【００４４】
ログイン要求部３２２としては、ユーザによって入力された当該ユーザのログイン情報
を管理装置１に送信してログインを要求する。
【００４５】
〈データ構成〉
図５は、入庫した物品の情報、即ち在庫情報のデータ構成を示す図である。図５に示すように、在庫管理データベースに登録される在庫情報は、品名ＩＤ、品名愛称、部門コード、メーカーロット、入荷日、荷姿コード、原料ラベルシリアルＮｏ、棚番、在庫状態、数量、倉庫コード、エリアといった項目を有する。
【００４６】
品名ＩＤは、物品の種類（品目や品名）を特定するコードであり、例えばABC01、DEF01のように、５桁以内の半角の英大文字、数字又はカナからなる。
【００４７】
品名愛称は、物品の名称や愛称、通称を示す文字列であり、例えばABC01剤、DEF01薬品のように、３０桁以内の全半角の文字列からなる。
【００４８】
部門コードは、荷主である部門を特定するコードであり、例えば0001、0002のように部門毎に割り当てられた１０桁以内の半角数字である。
【００４９】
メーカーロットは、物品の製造時のロットを示すコードであり、例えば２０桁以内の半角の文字列である。
【００５０】
入荷日は、物品を入庫した日付を示す情報であり、例えばYYYY/MM/DDのように年月日をスラッシュで区切った形式とする。
【００５１】
荷姿コードは荷姿を特定するコードであり、例えばA1、B2のように５桁以内の半角の英大文字又は数字からなる。
【００５２】
原料ラベルシリアルＮｏは、物品を管理する単位毎に各物品に割り当てたシリアル番号であり、例えばA001、B002のように５桁以内の半角の英大文字又は数字からなる。
【００５３】
棚番は、物品が格納されている棚を特定する番号であり、例えばA01-01、H02-01のように１０桁以内の半角の英大文字、数字又は記号からなる。
【００５４】
在庫状態は、在庫である物品の状態を示す情報であり、例えば、通常品、不良品、検査中、判断中等である。
【００５５】
数量は、物品の量を示す情報であり、例えば、3,600.0のように重量をキログラム単位
で少数第１位まで示す数値である。
【００５６】
倉庫コードは、倉庫を特定するコードであり、例えばY、Kのように１桁の英大文字である。なお、倉庫コードは、不図示の倉庫マスタによって、対応する倉庫の名称が定義され、倉庫コードがYであれば倉庫名称が○○倉庫、倉庫コードがKであれば倉庫名称が××倉庫のように、データを出力する際、倉庫コードと対応する倉庫名称が参照される。
【００５７】
エリアは、倉庫内を細分化した領域を特定する情報であり、例えば３桁以内の半角の英大文字又は数字からなる。
【００５８】
図６は、在庫管理データベースにおける棚番マスタのデータ構成を示す図である。図６に示すように、棚番マスタは、倉庫コード、棚番、エリアの項目を有し、棚番と、当該棚番によって特定される棚が存在する倉庫及びエリアとが対応付けられている。倉庫コード、棚番、エリアの各項目の意味は、前述した図５の在庫情報に含まれる項目と同じである
。
【００５９】
図７は、在庫管理データベースにおける品名マスタのデータ構成を示す図である。図７に示すように、品名マスタは、品名ＩＤ、品名愛称、有効期間、推奨棚番といった項目を有している。品名ＩＤ及び品名愛称は、前述した図５の在庫情報に含まれるものと同じである。
【００６０】
有効期限は、入庫日から使用期限までの期間、即ち在庫可能な期間を示す情報であり、例えば４桁以内の日数で示し、０は無期限を示す。
【００６１】
推奨棚番は、品名毎に格納する棚を予め定め、この棚の棚番を推奨棚番として登録したものである。
【００６２】
図８は、在庫管理データベースにおけるユーザマスタのデータ構成を示す図である。図８に示すように、ユーザマスタは、ユーザＩＤ、パスワード、氏名、所属倉庫、端末用ＩＤ、権限といった項目を有する。
【００６３】
ユーザＩＤは、ユーザを識別するためのＩＤであり、例えば２０桁以下の数字、英字、及び記号からなる。
【００６４】
パスワードは、ユーザＩＤ或いは端末用ＩＤと対をなす暗証情報であり、例えば２０桁以下の数字、英字、及び記号からなる。氏名は、ユーザの氏名を示す情報である。
【００６５】
端末用ＩＤは、車載端末２及び携帯端末３からログインするためのログイン情報であり、例えば、５桁以内の数字からなる。
【００６６】
権限は、ユーザＩＤで特定されるユーザに与えられた権限を示す情報であり、例えば現場作業者、物流担当者、営業・経営者、システム管理者である。
【００６７】
〈在庫管理方法〉
（１）ログイン処理
図９は、本実施形態の在庫管理システムが実行する在庫管理方法のログイン処理のシーケンスを示す図、図１０は車載端末２において、ログイン情報を入力する際の入力画面の表示例を示す図、図１１は携帯端末３において、ログイン情報を入力する際の入力画面の表示例を示す図である。
【００６８】
ユーザが、図１０に示すように車載端末２の表示装置に表示された入力画面５０のソフトキー５１を選択して当該ユーザに割り当てられた端末用ＩＤを入力欄５２に入力し、ログインボタン５３を選択すると、車載端末２は、ネットワークを介して管理装置１と接続し、前記端末用ＩＤを管理装置１に送信してログインを要求する（Ｓ１０）。この端末用ＩＤを受信した管理装置１は（Ｓ２０）、接続した車載端末２と受信した端末用ＩＤを対応付けて記憶する（Ｓ３０）。
【００６９】
また、ユーザが、携帯端末３の操作ボタンを操作して図１１に示すように携帯端末３の表示装置に表示された入力画面５５の入力欄５６に端末ＩＤを入力し、ログインボタン５７を選択すると、携帯端末３は、この端末用ＩＤを管理装置１に送信してログインを要求する（Ｓ４０）。この端末用ＩＤを受信した管理装置１は（Ｓ５０）、接続した携帯端末３と受信した端末用ＩＤを対応付けて記憶する（Ｓ６０）。
【００７０】
そして、管理装置１は、受信した端末用ＩＤが一致する車載端末２と携帯端末３とを関
連付ける（Ｓ７０）。管理装置１は、車載端末２又は携帯端末３がログアウトするまで、この関連付けを維持する。
【００７１】
（２）入庫処理
図１２は、本実施形態の在庫管理システムが実行する在庫管理方法の入庫処理のシーケンスを示す図である。
【００７２】
先ず、入荷する予定の物品の情報は、購買を依頼した際に、購買依頼情報として管理装置１に入力され、管理装置１がこれを入荷予定として記憶部１３に記憶する。ここで、購買依頼情報としては、例えば購買依頼Ｎｏをキーとして、部門コード、品名ＩＤ、荷姿、数量（重量）が入力される。
【００７３】
この購買を依頼した物品が入荷すると、ユーザは車載端末２を操作し入荷予定の一覧を要求する。この操作に応じ車載端末２は管理装置１にアクセスして入荷予定の情報を取得し、表示装置に一覧表示する（Ｓ１１０）。
【００７４】
ユーザが、この一覧から入庫処理を行う入荷予定を指定すると、車載端末２は、指定された入荷予定を示す情報を管理装置１に送信する（Ｓ１２０）。
【００７５】
管理装置１は、指定された入荷予定の情報を携帯端末３に送信する（Ｓ１３０）。携帯端末３は、受信した入荷予定の情報を表示装置に表示させ（Ｓ１３５）、ユーザに表示内容と入荷した物品とを比較させ、依頼どおりの物品が入荷したか否かを確認させる。
【００７６】
間違いなく入荷した場合、ユーザが入荷した物品のロットや入荷日、数量など、入荷した物品に係る情報を携帯端末３に入力し、携帯端末３がこの入力情報を管理装置１に送信する（Ｓ１４０）。
【００７７】
携帯端末３から入力情報を受信した管理装置１は、当該入力情報に応じた管理情報を在庫管理データベースから抽出して携帯端末３及び車載端末２に送信する（Ｓ１５０）。ここで入力情報に応じた管理情報とは、例えば品名ＩＤに対する品名愛称や推奨棚番等である。また、管理装置１は、受信した品名ＩＤに対する有効期限を在庫管理データベースから求め、有効期限を入荷日に加えて当該物品の使用期限を求め、この使用期限を管理情報に含める。更に管理装置１は、入荷した物品に対して新たなシリアルＮｏを生成し、これを新たに生成し、このシリアルＮｏを管理情報に含める。
【００７８】
そして携帯端末３は、管理装置１から受信した管理情報をプリンタ３７で印刷して識別ラベル４３Ａを発行する（Ｓ１６０）。なお、携帯端末３は、シリアルＮｏを所定形式、例えばCODE128のバーコードに変換して印刷する。ユーザは、発行された識別ラベル４３
Ａを入荷した物品４１に貼付する（図１）。図１３は、この識別ラベル４３Ａの一例を示す図である。図１３に示すように、識別ラベル４３Ａには、識別情報としてのバーコード４３が印刷されると共に、品名ＩＤ、品名愛称、部門コード、メーカーロット、入荷日、使用期限、荷姿コードが印字される。
【００７９】
次にユーザが車載端末２を操作して空き棚検索を指示すると、車載端末２は、管理装置１にアクセスして空いている棚の棚番を取得する（Ｓ１７０）。即ち管理装置１は、棚番マスタに定義されている棚番のうち、在庫情報で品名ＩＤと対応付けられていない棚番を空いている棚の棚番として車載端末２へ送信する。この空き棚検索の結果と推奨棚番とからユーザは物品を収容する棚を決め、搬送車を操作して物品を棚に収める。
【００８０】
そしてユーザは携帯端末３で入庫した物品の識別ラベルを読み取り、続けて棚に貼付さ
れている識別ラベル（棚番ラベル）４３Ｂを読み取る。これにより携帯端末３は、物品の識別ラベル４３Ａ及び棚番ラベル４３Ｂからそれぞれ識別情報を読み取り（Ｓ１８０）、対応付けて管理装置１に送信する（Ｓ１９０）。ここで棚番ラベル４３Ｂは、各棚に貼付され、各棚を示す識別情報を印刷したラベルである。図１４は棚番ラベル４３Ｂの一例を示す図である。図１４では、識別情報としての棚番を変換したバーコード４３と、棚番４９とを印刷した例を示す。
【００８１】
管理装置１は、識別情報として受信したシリアルＮｏに基づき、在庫管理データベースからシリアルＮｏが一致するレコードを特定し、識別情報として受信した棚番を登録する（Ｓ２１０）。そして、この携帯端末３から受信した識別情報の登録結果を当該携帯端末と関連付けた車載端末２へ送信する（Ｓ２２０）。図１５は、登録結果の表示例を示す図である。
【００８２】
車載端末２は、管理装置１から受信した登録結果を表示装置上に表示させる（Ｓ２３０）。
このように、携帯端末３が車載端末２と直接接続していなくても、携帯端末３で読み取った情報を管理装置１を中継して車載端末２へ送ることにより、簡易な構成で携帯端末３と車載端末２とを連携させることができる。
【００８３】
（３）出庫処理
図１６は、本実施形態の在庫管理システムが実行する在庫管理方法の出庫処理のシーケンスを示す図である。
【００８４】
先ず、出庫の要請に応じ、出庫する品名ＩＤや量などの出庫指示情報を車載端末２に入力（Ｓ３１０）すると、該情報が管理装置１に送信されて登録される。管理装置１はこの登録された出庫指示情報を受け（Ｓ３２０）、入力された品名ＩＤと一致する物品のうち入庫日が古いものから順に入力された量の物品を特定し、この物品の情報を出荷指示として車載端末２に送信する（Ｓ３３０）。
【００８５】
出荷指示を受信した車載端末２は、出荷指示情報を表示装置に表示させる（Ｓ３４０）。ユーザは、表示された出荷指示の棚番を確認し、搬送車を操作して当該棚番の棚へ移動する。そしてユーザが携帯端末３によって出荷する物品の識別ラベルを読み取る操作を行うと、携帯端末３は、識別ラベルの識別情報を読み取り（Ｓ３５０）、出庫指示情報と比較する。
【００８６】
ここで読み取った識別情報と出庫指示情報とが異なっている場合には、メッセージの表示や音の出力により警告を発する。また、読み取った識別情報と対応する使用期限が切れている場合や、所定の日数（例えば３０日）より少ない場合に警告を発するようにしても良い。
【００８７】
そして、携帯端末３が、読み取った識別情報を管理装置１に送信すると（Ｓ３６０）、管理装置１が、この識別情報で特定されるレコードを在庫管理データベースから求め、出庫済の情報を登録する（Ｓ３７０）。そして、この識別情報に基づく出庫済情報の登録結果を当該携帯端末３と関連付けた車載端末２へ送信する（Ｓ３８０）。
【００８８】
車載端末２は、管理装置１から受信した登録結果を表示装置上に表示させる（Ｓ３９０）。
以上のように、本実施形態によれば、管理装置１がログイン情報に基づいて携帯端末３及び車載端末２の対応付けを行い、携帯端末３で読み取った識別情報に基づく管理情報を対応する車載端末２に送信することにより、車載端末２の構成の簡素化を図ることができ
る。
【００８９】
〈その他〉
本発明は、上述の図示例にのみ限定されるものではなく、本発明の要旨を逸脱しない範囲内において種々変更を加え得ることは勿論である。
【符号の説明】
【００９０】
１ 管理装置
２ 車載端末
３ 携帯端末
４ 無線アクセスポイント
１０ 在庫管理システム
１２１ 入力情報受信部
１２２ 管理情報生成部
１２３ ログイン処理部
１２４ リレーション部
１２５ 管理情報送信部
２２１ 管理情報受信部
２２２ 表示制御部
２２３ ログイン要求部
３２１ 入力情報送信部
３２２ ログイン要求部
【図１】
2013144605.tif 000003
【図２】
2013144605.tif 000004
【図３】
2013144605.tif 000005
【図４】
2013144605.tif 000006
【図５】
2013144605.tif 000007
【図６】
2013144605.tif 000008
【図７】
2013144605.tif 000009
【図８】
2013144605.tif 000010
【図９】
2013144605.tif 000011
【図１０】
2013144605.tif 000012
【図１１】
2013144605.tif 000013
【図１２】
2013144605.tif 000014
【図１３】
2013144605.tif 000015
【図１４】
2013144605.tif 000016
【図１５】
2013144605.tif 000017
【図１６】
2013144605.tif 000018